(57)【要約】【課題】液晶表示システムにおいて、倍速駆動処理時における動画の再生表示処理の遅延を防ぎ、しかも、圧縮符号化される前の画像を正確に再生表示する。【解決手段】ＤＶＤプレーヤが、再生フレーム画像だけではなく、圧縮画像データの圧縮符号化時に算出された動きベクトルデータを液晶テレビに送信し、液晶テレビが、受信した再生フレーム画像と動きベクトルデータとに基づいて、中間画像を生成するようにした（Ｓ１１及びＳ１２）。これにより、液晶テレビが、圧縮画像データの圧縮符号化時に算出された動きベクトルデータを用いて中間画像を生成することができるので、圧縮符号化される前の画像を正確に再生表示することができる。しかも、従来と異なり、液晶テレビ側が、中間画像生成用の動きベクトルデータの算出処理を行う必要がなくなるので、倍速駆動処理時における動画の再生表示処理の遅延を防ぐことができる。【選択図】図３
2011128409.tif 000002
【特許請求の範囲】
【請求項１】
記録媒体に記録されたＭＰＥＧ方式の圧縮画像データと、この圧縮画像データの圧縮符号化時に算出された動きベクトルデータとに基づいて再生した再生フレーム画像を送信する画像再生装置と、
液晶表示パネルを備え、前記画像再生装置から送信された再生フレーム画像に基づく画像を前記液晶表示パネルに表示する液晶表示装置とを含む液晶表示システムにおいて、
前記画像再生装置は、
前記記録媒体から、前記圧縮画像データと動きベクトルデータとを読み取る読み取り手段と、
前記読み取り手段により読み取った圧縮画像データを、前記読み取り手段により読み取った動きベクトルデータを用いて復号することにより、再生フレーム画像を生成する復号再生手段と、
前記液晶表示装置にデータを送信する送信手段と、
前記復号再生手段により生成された再生フレーム画像と、前記読み取り手段により読み取った動きベクトルデータとを、前記送信手段により前記液晶表示装置に送信するように制御する送信制御手段とを備え、
前記液晶表示装置は、
前記画像再生装置の送信手段から送信された再生フレーム画像と動きベクトルデータとを受信する受信手段と、
前記受信手段により受信した再生フレーム画像と動きベクトルデータとに基づいて、補間フレーム画像である中間画像を生成する中間画像生成手段と、
前記中間画像生成手段により生成された中間画像を、前記受信手段により受信した連続する複数の再生フレーム画像の間に挿入することにより、前記受信手段により受信した再生フレーム画像のフレームレートを変換して、表示用フレーム画像を得るフレームレート変換手段と、
前記フレームレート変換手段により得られた表示用フレーム画像の画像信号に基づいて、１２０Ｈｚの駆動周波数で表示用電極を駆動する電極駆動手段とをさらに備え、
前記液晶表示パネルは、前記フレームレート変換手段により得られた表示用フレーム画像を、前記電極駆動手段の駆動周波数に応じて切り換えながら表示することを特徴とする液晶表示システム。
【請求項２】
前記画像再生装置と液晶表示装置とは、ＨＤＭＩ（High Definition Multimedia Interface）ケーブルで接続され、
前記送信手段は、ＨＤＭＩの規格に準拠したデータフレームを前記液晶表示装置に送信し、
前記画像再生装置から送信される各データフレームには、前記復号再生手段により生成された各再生フレーム画像と、前記読み取り手段により読み取った動きベクトルデータとが含まれることを特徴とする請求項１に記載の液晶表示システム。
【請求項３】
前記画像再生装置と液晶表示装置とは、ＨＤＭＩ（High Definition Multimedia Interface）ケーブルで接続され、
前記送信手段は、ＨＤＭＩの規格に準拠したデータフレームを前記液晶表示装置に送信し、
前記復号再生手段により生成された再生フレーム画像が、２４フレーム／秒のフレームレートの再生フレーム画像であるときに、
前記送信手段は、６０フレーム／秒のフレームレートで前記各再生フレーム画像に対応した各データフレームを送信し、
前記送信制御手段は、１秒間に送信する６０フレーム分の各データフレームのうち、２４フレーム分の各データフレームに、前記復号再生手段により生成された各再生フレーム画像を格納し、残り３６フレーム分の各データフレームに、前記読み取り手段により読み取った動きベクトルデータを格納して、これらのデータフレームを、前記送信手段により前記液晶表示装置に送信するように制御することを特徴とする請求項１に記載の液晶表示システム。
【発明の詳細な説明】
【技術分野】
【０００１】
本発明は、ＤＶＤプレーヤ等の画像再生装置で再生したフレーム画像を液晶表示装置の液晶表示パネルに表示する液晶表示システムに関する。
【背景技術】
【０００２】
近年、ディジタル液晶テレビジョン受像機（以下、「液晶テレビ」と略す）等の液晶表示装置が、普及してきている。従来のブラウン管を用いた表示装置では、１フレームの画像を表示するときに、１ピクセルずつ順番に表示していたが、液晶表示装置では、全てのピクセルを同時に表示するため、表示対象のフレーム画像（以下、表示用フレーム画像という）が次の画像に変わるまでは、全く同じ画像の表示が継続された状態（いわゆるホールド表示状態）になる。このため、動きの激しい動画を表示したときには、残像感のある画像表示になってしまう。
【０００３】
上記の残像感をなくすために、従来は６０フレーム／秒であった表示用フレーム画像のフレームレートを、倍速の１２０フレーム／秒まで引き上げ、１フレームの画像の表示時間を１６ｍ秒から８ｍ秒まで短くする倍速液晶技術を採用したディジタル液晶テレビジョン受像機（以下、倍速液晶テレビという）がある。
【０００４】
上記の倍速液晶テレビと、ＤＶＤプレーヤ等の画像再生装置とを接続して構成した液晶表示システムでは、以下のようなフレームレートの変換方法を採用している。すなわち、ＤＶＤプレーヤ等の画像再生装置が、ＤＶＤ等の記録媒体から、ＭＰＥＧ方式の圧縮画像データと動きベクトルデータとを読み取って、読み取った圧縮画像データと動きベクトルデータとを用いて再生フレーム画像を生成して、倍速液晶テレビに送信する。そして、液晶テレビ側が、画像再生装置から送信された、連続する複数の再生フレーム画像に基づいて、連続する再生フレーム画像間の変化を示す情報である動きベクトルデータを算出し、算出した動きベクトルデータと、画像再生装置から受信した再生フレーム画像とに基づいて中間画像を生成して、受信した連続する再生フレーム画像の間に中間画像を挿入することにより、受信した再生フレーム画像のフレームレートを、６０フレーム／秒から、倍速の１２０フレーム／秒に変換する。この液晶テレビは、１２０フレーム／秒に変換された後の表示用フレーム画像の画像信号に基づいて、１２０Ｈｚの駆動周波数で表示用電極を駆動する。この１２０フレーム／秒に変換された後の表示用フレーム画像の画像信号に基づいて１２０Ｈｚの駆動周波数で表示用電極を駆動する処理を、倍速駆動処理という。
【０００５】
上記のような液晶表示システムでは、動画を表示する際の残像感を減らすことができるが、液晶テレビ側が、上記の中間画像生成用の動きベクトルデータの算出処理を行っていたため、液晶テレビ側の制御部（ＣＰＵ）や画像処理回路やメモリに大きな負荷が生じ、動画の再生表示が遅延するという問題があった。また、上記のような液晶表示システムでは、倍速液晶テレビが、画像再生装置から受信した連続する複数の再生フレーム画像のみに基づいて動きベクトルデータを算出していたため、複雑な動きをする動画像の中間画像を生成する場合には、正確な動きベクトルデータを算出することができないことがあった。従って、従来の倍速液晶テレビでは、圧縮符号化される前の画像（の動き）を正確に再生表示することができなかった。
【０００６】
ところで、画像表示装置の分野において、上記の倍速駆動処理等を行うために、再生フレーム画像のフレームレートを変換する機能を有するものが知られている（例えば、特許文献１及び２参照）。しかしながら、特許文献１に記載の発明では、画像表示装置が、上記の中間画像生成用の動きベクトルデータの算出処理を行っているため、上記の動画の再生表示の遅延の問題を解決することができない。また、特許文献２に記載の発明では、同一フレームの画像信号をメモリから繰り返して読み出すことにより、フレームレートの変換を行うため、上記の残像感をなくすことができず、また、圧縮符号化される前の画像（の動き）を正確に再生表示することができない。
【０００７】
また、倍速駆動処理を行うことが可能なテレビジョン受信装置等の映像信号処理装置の分野において、受信した画像信号に基づいて補間フレームを生成するようにしたものが知られている（特許文献３及び４参照）。しかしながら、これらの装置でも、上記の中間画像生成用の動きベクトルデータの算出処理を行っているため、上記の動画の再生表示の遅延の問題や、圧縮符号化される前の画像を正確に再生表示することができないという問題を解決することができない。
【先行技術文献】
【特許文献】
【０００８】
【特許文献１】特開２００９−１５９３２１号公報
【特許文献２】特開２００８−１３６２２６号公報
【特許文献３】特開２００９−２１２６０９号公報
【特許文献４】特開２００９−１３５８４７号公報
【発明の概要】
【発明が解決しようとする課題】
【０００９】
本発明は、上記課題を解決するものであり、倍速駆動処理時における動画の再生表示処理の遅延を防ぐことができ、しかも、圧縮符号化される前の画像を正確に再生表示することが可能な液晶表示システムを提供することを目的とする。
【課題を解決するための手段】
【００１０】
上記課題を解決するために、請求項１の発明は、記録媒体に記録されたＭＰＥＧ方式の圧縮画像データと、この圧縮画像データの圧縮符号化時に算出された動きベクトルデータとに基づいて再生した再生フレーム画像を送信する画像再生装置と、液晶表示パネルを備え、前記画像再生装置から送信された再生フレーム画像に基づく画像を前記液晶表示パネルに表示する液晶表示装置とを含む液晶表示システムにおいて、前記画像再生装置は、前記記録媒体から、前記圧縮画像データと動きベクトルデータとを読み取る読み取り手段と、前記読み取り手段により読み取った圧縮画像データを、前記読み取り手段により読み取った動きベクトルデータを用いて復号することにより、再生フレーム画像を生成する復号再生手段と、前記液晶表示装置にデータを送信する送信手段と、前記復号再生手段により生成された再生フレーム画像と、前記読み取り手段により読み取った動きベクトルデータとを、前記送信手段により前記液晶表示装置に送信するように制御する送信制御手段とを備え、前記液晶表示装置は、前記画像再生装置の送信手段から送信された再生フレーム画像と動きベクトルデータとを受信する受信手段と、前記受信手段により受信した再生フレーム画像と動きベクトルデータとに基づいて、補間フレーム画像である中間画像を生成する中間画像生成手段と、前記中間画像生成手段により生成された中間画像を、前記受信手段により受信した連続する複数の再生フレーム画像の間に挿入することにより、前記受信手段により受信した再生フレーム画像のフレームレートを変換して、表示用フレーム画像を得るフレームレート変換手段と、前記フレームレート変換手段により得られた表示用フレーム画像の画像信号に基づいて、１２０Ｈｚの駆動周波数で表示用電極を駆動する電極駆動手段とをさらに備え、前記液晶表示パネルは、前記フレームレート変換手段により得られた表示用フレーム画像を、前記電極駆動手段の駆動周波数に応じて切り換えながら表示するものである。
【００１１】
請求項２の発明は、請求項１に記載の液晶表示システムにおいて、前記画像再生装置と液晶表示装置とは、ＨＤＭＩ（High Definition Multimedia Interface）ケーブルで接続され、前記送信手段は、ＨＤＭＩの規格に準拠したデータフレームを前記液晶表示装置に送信し、前記画像再生装置から送信される各データフレームには、前記復号再生手段により生成された各再生フレーム画像と、前記読み取り手段により読み取った動きベクトルデータとが含まれるものである。
【００１２】
請求項３の発明は、請求項１に記載の液晶表示システムにおいて、前記画像再生装置と液晶表示装置とは、ＨＤＭＩ（High Definition Multimedia Interface）ケーブルで接続され、前記送信手段は、ＨＤＭＩの規格に準拠したデータフレームを前記液晶表示装置に送信し、前記復号再生手段により生成された再生フレーム画像が、２４フレーム／秒のフレームレートの再生フレーム画像であるときに、前記送信手段は、６０フレーム／秒のフレームレートで前記各再生フレーム画像に対応した各データフレームを送信し、前記送信制御手段は、１秒間に送信する６０フレーム分の各データフレームのうち、２４フレーム分の各データフレームに、前記復号再生手段により生成された各再生フレーム画像を格納し、残り３６フレーム分の各データフレームに、前記読み取り手段により読み取った動きベクトルデータを格納して、これらのデータフレームを、前記送信手段により前記液晶表示装置に送信するように制御するものである。
【発明の効果】
【００１３】
請求項１の発明によれば、画像再生装置が、再生フレーム画像だけではなく、圧縮画像データの圧縮符号化時に算出された動きベクトルデータを液晶表示装置に送信し、液晶表示装置が、受信した再生フレーム画像と動きベクトルデータとに基づいて、補間フレーム画像である中間画像を生成するようにした。これにより、液晶表示装置が、圧縮画像データの圧縮符号化時に算出された動きベクトルデータを用いて中間画像を生成することができるので、圧縮符号化される前の画像を正確に再生表示することができる。しかも、上記従来の液晶表示システムと異なり、液晶表示装置側が、中間画像生成用の動きベクトルデータの算出処理を行う必要がなくなるので、液晶表示装置側の制御部（ＣＰＵ）や画像処理回路やメモリの負荷を減らすことができ、従って、倍速駆動処理時における動画の再生表示処理の遅延を防ぐことができる。
【００１４】
また、請求項２及び請求項３の発明によれば、ＨＤＭＩの規格に準拠したデータフレーム内に動きベクトルデータを格納して液晶表示装置に送信することができるので、動きベクトルデータ送信専用の接続ケーブルを設けることなく、液晶テレビ等の液晶表示装置とＤＶＤプレーヤ等の画像再生装置とを接続するための標準的なケーブルであるＨＤＭＩケーブルのみを用いて、画像再生装置から液晶表示装置に再生フレーム画像と動きベクトルデータとを送信することができる。
【図面の簡単な説明】
【００１５】
【図１】本発明の第１の実施形態に係る液晶表示システムを構成するＤＶＤプレーヤと液晶テレビの電気的ブロック構成図。
【図２】同液晶表示システムの倍速駆動処理におけるＤＶＤプレーヤ側の処理のフローチャート。
【図３】同倍速駆動処理における液晶テレビ側の処理のフローチャート。
【図４】同ＤＶＤプレーヤから液晶テレビに送信されるデータフレーム内のデータエリアを示す図。
【図５】（ａ）（ｂ）（ｃ）は、同データフレームに格納されてＤＶＤプレーヤから液晶テレビに送信される再生フレーム画像を時系列に沿って示す図。
【図６】（ａ）（ｂ）（ｃ）（ｄ）（ｅ）は、図３中のＳ１３のフレームレート変換処理で得られた表示用フレーム画像を時系列に沿って示す図。
【図７】本発明の第２の実施形態に係る液晶表示システムの倍速駆動処理におけるＤＶＤプレーヤ側の処理のフローチャート。
【発明を実施するための形態】
【００１６】
以下、本発明の実施形態について、図面を参照して説明する。図１は、本発明の第１の実施形態による液晶表示システムを示す。この液晶表示システム１は、ＤＶＤ（Digital Versatile Disc）プレーヤ２（請求項における画像再生装置）と、ディジタル液晶テレビジョン受像機（以下、「液晶テレビ」と略す）３（請求項における液晶表示装置）とから構成されている。ＤＶＤプレーヤ２と液晶テレビ３とは、ＨＤＭＩ（High-Definition Multimedia Interface）ケーブル５を介して接続されている。ＤＶＤ４（請求項における記録媒体）は、ＭＰＥＧ−２方式の圧縮画像データと、この圧縮画像データの圧縮符号化時に算出された動きベクトルデータとを記録している。ＤＶＤプレーヤ２は、ＤＶＤ４に記録されたＭＰＥＧ−２方式の圧縮画像データと、この圧縮画像データの圧縮符号化時に算出された動きベクトルデータとに基づいて再生した再生フレーム画像を、ＨＤＭＩケーブル５を介して液晶テレビ３に送信する。液晶テレビ３は、液晶（の表示用電極）を通常の倍速の１２０Ｈｚの駆動周波数で駆動可能な液晶表示パネル３７を備え、ＤＶＤプレーヤ２から送信された再生フレーム画像に基づく画像を液晶表示パネル３７に表示する。
【００１７】
ＤＶＤプレーヤ２は、装置全体を制御する制御部２１（送信制御手段）と、光ピックアップ２２（読み取り手段）と、ディジタル信号処理回路２３と、ＭＰＥＧ−２ビデオデコーダ２４（復号再生手段）と、ＭＰＥＧオーディオデコーダ２５と、ＨＤＭＩトランスミッタ２６（送信手段）と、装置に操作用の指示入力を行うための操作部２７と、各種情報の表示用の小型ディスプレイである表示部２８と、制御部２１による制御処理用のプログラムや各種のデータを格納するメモリ２９とを有している。
【００１８】
上記の光ピックアップ２２は、ＤＶＤ４の表面に光を照射して、ＤＶＤ４のディスク表面から反射された光に基づき、圧縮画像データ、圧縮音声データ、動きベクトルデータ等のデータに相当するＲＦ信号を生成して、生成したＲＦ信号をディジタル信号処理回路２３に送信する。ディジタル信号処理回路２３は、光ピックアップ２２から送信されたアナログ形式の信号をディジタルデータに変換し、変換後のディジタルデータに対して、８／１６復調、エラー訂正等の処理を行った後、圧縮画像データ、動きベクトルデータ、圧縮音声データ等のデータに分離する。ＭＰＥＧ−２ビデオデコーダ２４は、ディジタル信号処理回路２３から圧縮画像データと動きベクトルデータとを受信して、動きベクトルデータを用いて圧縮画像データを復号することにより、再生フレーム画像を生成する。ＭＰＥＧオーディオデコーダ２５は、ディジタル信号処理回路２３から圧縮音声データを受信して、この圧縮音声データを復号することにより、圧縮符号化される前の音声データとほぼ同じ音声データを生成する。ＨＤＭＩトランスミッタ２６は、シリアル通信用の送信機であり、ＨＤＭＩの規格に準拠したデータフレームに、再生フレーム画像、動きベクトルデータ、音声データ、制御信号などを一まとめに格納して、外部接続機器（この場合、液晶テレビ３）に送信する。なお、ＨＤＭＩトランスミッタ２６は、通常、データフレームを暗号化してから送信する。
【００１９】
液晶テレビ３は、各種操作用の指示入力を行うための操作部３０と、装置全体を制御する制御部３１と、ＨＤＭＩレシーバ３２（受信手段）と、画像処理回路３３（中間画像生成手段、フレームレート変換手段）と、音声処理回路３４と、スピーカ３５と、電極駆動回路３６（電極駆動手段）と、液晶表示パネル３７と、制御部３１による制御処理用のプログラムや各種の作業用データ等を格納するメモリ３８と、アンテナ６を介してディジタルテレビジョン放送信号（トランスポートストリーム）を受信するためのチューナ３９と、チューナ３９で受信したトランスポートストリーム中のパケットをデコードするためのＭＰＥＧデコーダ４０を備えている。
【００２０】
液晶テレビ３の入力モードが、外部入力モード（ＤＶＤプレーヤ２からの信号の入力モード）のときには、上記のＨＤＭＩレシーバ３２は、ＤＶＤプレーヤ２側のＨＤＭＩトランスミッタ２６から受信したデータフレームの暗号化を解き、データフレーム中のデータを、再生フレーム画像、動きベクトルデータ、音声データ等に振り分けた後、再生フレーム画像、動きベクトルデータ等を画像処理回路３３に送信し、音声データを音声処理回路３４に送信する。画像処理回路３３は、ＨＤＭＩレシーバ３２から受信した再生フレーム画像と動きベクトルデータとに基づいて、補間フレーム画像である中間画像を生成した後、生成した中間画像を、ＨＤＭＩレシーバ３２により受信した連続する複数の再生フレーム画像の間に挿入することにより、ＨＤＭＩレシーバ３２により受信した再生フレーム画像のフレームレートを変換して、表示用フレーム画像を得る。そして、この表示用フレーム画像に対応する画像信号を生成して、この画像信号を電極駆動回路３６に送る。電極駆動回路３６は、画像処理回路３３から受信した画像信号に基づいて、１２０Ｈｚの駆動周波数で表示用電極を駆動する。上記のような処理を経ることにより、液晶表示パネル３７が、フレームレート変換後の表示用フレーム画像を、電極駆動回路３６の駆動周波数に応じて切り換えながら表示することができる。
【００２１】
また、液晶テレビ３の入力モードが、チューナ入力モードのときには、液晶テレビ３は、アンテナ６を介してチューナ３９でディジタルテレビジョン放送信号（トランスポートストリーム）を受信して、受信したトランスポートストリーム中のパケットをＭＰＥＧデコーダ４０でデコードすることにより、画像信号や音声信号を生成する。そして、この画像信号に基づく画像を液晶表示パネル３７に表示し、音声信号に基づく音声をスピーカ３５に出力する。
【００２２】
次に、上記液晶表示システム１における倍速駆動処理について、図２に示されるＤＶＤプレーヤ２側の処理のフローチャートと、図３に示される液晶テレビ３側の処理のフローチャートを参照して説明する。ここで、本明細書における倍速駆動処理とは、再生フレーム画像のフレームレートを１２０フレーム／秒に変換して、変換後の表示用フレーム画像の画像信号に基づいて、１２０Ｈｚの駆動周波数で表示用電極を駆動する処理を意味する。
【００２３】
図２に示されるように、ＤＶＤプレーヤ２の制御部２１は、光ピックアップ２２により、ＤＶＤ４から圧縮画像データと動きベクトルデータとを読み取る（Ｓ１）。より詳細に言うと、ＤＶＤプレーヤ２の光ピックアップ２２は、ＤＶＤ４から圧縮画像データ、動きベクトルデータ、圧縮音声データ等のデータに相当するＲＦ信号を生成して、生成したＲＦ信号をディジタル信号処理回路２３に送る。ディジタル信号処理回路２３は、受け取ったＲＦ信号に対して各種処理を施すことによりディジタル形式の圧縮画像データと動きベクトルデータと圧縮音声データとを生成して、生成したディジタル形式の圧縮画像データと動きベクトルデータとをＭＰＥＧ−２ビデオデコーダ２４に送り、生成したディジタル形式の圧縮音声データをＭＰＥＧオーディオデコーダ２５に送る。また、ディジタル信号処理回路２３は、生成したディジタル形式の動きベクトルデータをＨＤＭＩトランスミッタ２６にも送る。ＭＰＥＧ−２ビデオデコーダ２４は、ディジタル信号処理回路２３から受信した動きベクトルデータを用いて、ディジタル信号処理回路２３から送信された圧縮画像データを復号することにより（Ｓ２）、再生フレーム画像を生成して、生成した再生フレーム画像をＨＤＭＩトランスミッタ２６に送信する。また、ＭＰＥＧオーディオデコーダ２５は、ディジタル信号処理回路２３から受信した圧縮音声データを復号することにより、圧縮符号化される前の音声データとほぼ同じ音声データを生成して、生成した音声データをＨＤＭＩトランスミッタ２６に送信する。
【００２４】
ＤＶＤプレーヤ２の制御部２１は、ＨＤＭＩトランスミッタ２６が、ＭＰＥＧ−２ビデオデコーダ２４から受信した各再生フレーム画像を、図４に示されるデータフレーム４１中の映像エリア４２に格納し、ディジタル信号処理回路２３から受信した動きベクトルデータと、ＭＰＥＧオーディオデコーダ２５から受信した音声データ等を、データフレーム４１の他データエリア４３に格納して、データフレーム４１を液晶テレビ３に送信するように制御する（Ｓ３）。
【００２５】
なお、データフレーム４１に動きベクトルデータを格納する方法としては、上記のように、ＤＶＤプレーヤ２側から液晶テレビ３側に送信する各データフレーム４１中に、ＭＰＥＧ−２ビデオデコーダ２４により生成された各再生フレーム画像と、光ピックアップ２２により読み取ってディジタル信号処理回路２３により処理されたディジタル形式の動きベクトルデータとを格納する方法以外に、次の方法が考えられる。すなわち、ＭＰＥＧ−２ビデオデコーダ２４により生成（復号）された再生フレーム画像が、映画の画像データ等のように、２４フレーム／秒のフレームレートの再生フレーム画像である場合に、ＤＶＤプレーヤ２の制御部２１が、ＨＤＭＩトランスミッタ２６により１秒間に送信する６０フレーム分の各データフレームのうち、２４フレーム分の各データフレームに、ＭＰＥＧ−２ビデオデコーダ２４により生成された各再生フレーム画像を格納し、残り３６フレーム分の各データフレームに、ディジタル信号処理回路２３により処理されたディジタル形式の動きベクトルデータを格納する方法である。ただし、この格納方法を採用する場合には、液晶テレビ３が、いわゆる２−３プルダウン機能（２４フレーム／秒のフレームレートで受信した、連続する複数の再生フレーム画像間に、同じ再生フレーム画像を繰り返して挿入することにより、再生フレーム画像のフレームレートを６０フレーム／秒に変換する機能）を有していることが条件になる。
【００２６】
一方、液晶テレビ３側の処理は、以下のようになる。すなわち、図３に示されるように、液晶テレビ３側のＨＤＭＩレシーバ３２は、ＨＤＭＩケーブル５を介してＤＶＤプレーヤ２から、再生フレーム画像と動きベクトルデータと音声データとを含むデータフレーム４１を受信して（Ｓ１１）、受信した再生フレーム画像と動きベクトルデータとを画像処理回路３３に送信し、受信した音声データを音声処理回路３４に送信する。画像処理回路３３は、ＨＤＭＩレシーバ３２から受信した再生フレーム画像と動きベクトルデータとに基づいて、補間フレーム画像である中間画像を生成した後（Ｓ１２）、生成した中間画像を、ＨＤＭＩレシーバ３２により受信した連続する複数の再生フレーム画像の間に挿入することにより、ＨＤＭＩレシーバ３２により受信した再生フレーム画像のフレームレートを変換して（Ｓ１３）、表示用フレーム画像を得る。そして、画像処理回路３３は、この表示用フレーム画像に対応する画像信号を生成して、この画像信号を電極駆動回路３６に送る。電極駆動回路３６は、画像処理回路３３から受信した画像信号に基づいて、１２０Ｈｚの駆動周波数で表示用電極を駆動する（Ｓ１４）。これにより、液晶表示パネル３７が、フレームレート変換後の表示用フレーム画像を、電極駆動回路３６の駆動周波数（１２０Ｈｚ）に応じて切り換えながら、１２０フレーム／秒のフレームレートで表示する（Ｓ１５）。
【００２７】
図５（ａ）（ｂ）（ｃ）と図６（ａ）（ｂ）（ｃ）（ｄ）（ｅ）とは、上記Ｓ３の処理においてＤＶＤプレーヤ２側から液晶テレビ３側に送信される再生フレーム画像５１の例と、上記Ｓ１３のフレームレート変換処理で得られた表示用フレーム画像６１の例を示す。図６（ａ）（ｃ）（ｅ）に示される各表示用フレーム画像６１は、それぞれ図５（ａ）（ｂ）（ｃ）に示される各再生フレーム画像５１に相当する。また、図６（ｂ）（ｄ）に示される各表示用フレーム画像６１は、上記Ｓ１２の処理で生成された中間画像に相当する。
）。
【００２８】
上記のように、第１の実施形態のＴＶ受像機１によれば、ＤＶＤプレーヤ２が、再生フレーム画像だけではなく、圧縮画像データの圧縮符号化時に算出された動きベクトルデータを液晶テレビ３に送信し、液晶テレビ３が、受信した再生フレーム画像と動きベクトルデータとに基づいて、補間フレーム画像である中間画像を生成するようにした。これにより、液晶テレビ３が、圧縮画像データの圧縮符号化時に算出された動きベクトルデータを用いて中間画像を生成することができるので、圧縮符号化される前の画像を正確に再生表示することができる。しかも、従来の液晶表示システムと異なり、液晶テレビ（液晶表示装置）側が、中間画像生成用の動きベクトルデータの算出処理を行う必要がなくなるので、液晶テレビ側の制御部２１や画像処理回路３３やメモリ３８の負荷を減らすことができ、従って、倍速駆動処理時における動画の再生表示処理の遅延を防ぐことができる。
【００２９】
また、本実施形態のＴＶ受像機１によれば、ＨＤＭＩの規格に準拠したデータフレーム４１内に動きベクトルデータを格納して液晶テレビ３に送信することができるので、動きベクトルデータ送信専用の接続ケーブルを設けることなく、液晶テレビ３等の液晶表示装置とＤＶＤプレーヤ２等の画像再生装置とを接続するための標準的なケーブルであるＨＤＭＩケーブル５のみを用いて、ＤＶＤプレーヤ２から液晶テレビ３に再生フレーム画像と動きベクトルデータとを送信することができる。
【００３０】
次に、本発明の第２の実施形態による液晶表示システム１について、図７のフローチャートを参照して説明する。なお、第２の実施形態の液晶表示システム１のハードウェアの構成は、第１の実施形態の液晶表示システム１と同じである。第２の実施形態は、ＭＰＥＧ−２ビデオデコーダ２４により生成（復号）された再生フレーム画像が、映画の画像データ等のように、２４フレーム／秒のフレームレートの再生フレーム画像である場合に、ＤＶＤプレーヤ２が、この２４フレーム／秒のフレームレートの再生フレーム画像と、光ピックアップ２２によりＤＶＤ４から読み取った動きベクトルデータとに基づいて、上記の液晶テレビ３側で生成された中間画像とは異なる中間画像（以下、「プレーヤ側中間画像」という）を生成して、生成したプレーヤ側中間画像を、連続する再生フレーム画像間に挿入することにより、再生フレーム画像のフレームレートを２４フレーム／秒から６０フレーム／秒に変換する点以外は、上記の第１の実施形態と同様である。
【００３１】
具体的には、図７のフローチャートに示されるように、ＤＶＤプレーヤ２の制御部２１は、上記図２のフローチャートに示されるＳ１及びＳ２と同様な処理を行って、再生フレーム画像を生成して（Ｓ２１及びＳ２２）、ＭＰＥＧ−２ビデオデコーダ２４により生成（復号）された再生フレーム画像が、映画の画像データ等のように、２４フレーム／秒のフレームレートの再生フレーム画像であるか否かを判定する（Ｓ２３）。この結果、生成（復号）された再生フレーム画像が、２４フレーム／秒のフレームレートの再生フレーム画像である場合には（Ｓ２３でＹＥＳ）、ＤＶＤプレーヤ２の制御部２１は、生成された再生フレーム画像と、光ピックアップ２２によりＤＶＤ４から読み取った動きベクトルデータとに基づいて、上記のプレーヤ側中間画像を生成する（Ｓ２４）。そして、ＤＶＤプレーヤ２の制御部２１は、生成したプレーヤ側中間画像を、ＭＰＥＧ−２ビデオデコーダ２４により生成した連続する再生フレーム画像間に挿入することにより、再生フレーム画像のフレームレートを２４フレーム／秒から６０フレーム／秒に変換する（Ｓ２５）。次に、ＤＶＤプレーヤ２の制御部２１は、ＨＤＭＩトランスミッタ２６が、フレームレート変換後の各再生フレーム画像（プレーヤ側中間画像を含む）を、図４に示されるデータフレーム４１中の映像エリア４２に格納し、光ピックアップ２２によりＤＶＤ４から読み取った動きベクトルデータと、ＭＰＥＧオーディオデコーダ２５から受信した音声データとを、データフレーム４１の他データエリア４３に格納して、データフレーム４１を液晶テレビ３に送信するように制御する（Ｓ２６）。
【００３２】
なお、ＭＰＥＧ−２ビデオデコーダ２４により生成された再生フレーム画像が、２４フレーム／秒のフレームレートの再生フレーム画像でない場合には（Ｓ２３でＮＯ）、ＤＶＤプレーヤ２の制御部２１は、上記図２中のＳ３と同様な処理を行って、ＨＤＭＩトランスミッタ２６が、ＭＰＥＧ−２ビデオデコーダ２４から受信した各再生フレーム画像のみを、図４に示されるデータフレーム４１中の映像エリア４２に格納し、光ピックアップ２２によりＤＶＤ４から読み取った動きベクトルデータと、ＭＰＥＧオーディオデコーダ２５から受信した音声データとを、データフレーム４１の他データエリア４３に格納して、データフレーム４１を液晶テレビ３に送信するように制御する（Ｓ２７）。
【００３３】
第２の実施形態のＴＶ受像機１によれば、ＭＰＥＧ−２ビデオデコーダ２４により生成された再生フレーム画像が、映画の画像データ等のように、２４フレーム／秒のフレームレートの再生フレーム画像である場合でも、ＤＶＤプレーヤ２が、この２４フレーム／秒のフレームレートの再生フレーム画像と、光ピックアップ２２によりＤＶＤ４から読み取った動きベクトルデータとに基づいて、上記のプレーヤ側中間画像を生成して、生成したプレーヤ側中間画像を、連続する再生フレーム画像間に挿入する方法により、６０フレーム／秒のフレームレートの自然な再生フレーム画像を液晶テレビ３に送信することができる。上記のプレーヤ側中間画像も、圧縮画像データの圧縮符号化時に算出された動きベクトルデータを用いて生成された補間画像であるので、このプレーヤ側中間画像を連続する再生フレーム画像間に挿入することにより、圧縮符号化される前の画像を正確に再生した再生フレーム画像を液晶テレビ３に送信することができる。
【００３４】
なお、本発明は、上記実施形態の構成に限られず、発明の趣旨を変更しない範囲で種々の変形が可能である。例えば、上記実施形態では、ＤＶＤプレーヤ２と液晶テレビ３とをＨＤＭＩケーブル５を介して接続した場合の例を示したが、ＤＶＤプレーヤ２と液晶テレビ３とを、ＩＥＥＥ１３９４ケーブルやＵＳＢケーブルで接続してもよい。
【符号の説明】
【００３５】
１    液晶表示システム
２    ＤＶＤプレーヤ（画像再生装置）
３    液晶テレビ（液晶表示装置）
４    ＤＶＤ（記録媒体）
２１  制御部（送信制御手段）
２２  光ピックアップ（読み取り手段）
２４  ＭＰＥＧ−２ビデオデコーダ（復号再生手段）
２６  ＨＤＭＩトランスミッタ（送信手段）
３２  ＨＤＭＩレシーバ（受信手段）
３３  画像処理回路（中間画像生成手段、フレームレート変換手段）
３６  電極駆動回路（電極駆動手段）
３７  液晶表示パネル
４１  データフレーム
５１  再生フレーム画像
６１  表示用フレーム画像
【図１】
2011128409.tif 000003
【図２】
2011128409.tif 000004
【図３】
2011128409.tif 000005
【図４】
2011128409.tif 000006
【図５】
2011128409.tif 000007
【図６】
2011128409.tif 000008
【図７】
2011128409.tif 000009